(57)【要約】【課題】塗布液を毛髪に必要以上に塗布することなく、毛根部や頭皮（皮膚）に塗布液を確実且つ十分に、短時間で塗布することができるとともに、塗布液が毛染め剤である場合、毛髪の根本部分に十分に塗布することができ、染め残しや頭皮（皮膚）に刺激を与えたりすることを防止することができるノズル付きキャップを提供する。【解決手段】塗布液を収納する容器の開口部に装着されるキャップ部１０と、キャップ部１０に少なくとも２つ以上のノズル２が立設且つ並設されたノズル部２０とを備え、ノズル２が中空１６であり、その先端に注出口４が形成され、ノズル２とキャップ部１０とが、容器の開口部と連通し、塗布液を注出口４から注出させるものである。【選択図】図１
2006051230.tif 000002
【特許請求の範囲】
【請求項１】
塗布液を収納する容器の開口部に装着されるキャップ部と、前記キャップ部に少なくとも２つ以上のノズルが立設且つ並設されたノズル部とを備え、前記ノズルが中空であり、その先端に注出口が形成され、前記ノズルと前記キャップ部とが、前記容器の開口部と連通し、前記塗布液を前記注出口から注出させるノズル付きキャップ。
【請求項２】
各ノズル間における前記注出口の中心同士の間隔が、３〜２０ｍｍである請求項１に記載のノズル付きキャップ。
【請求項３】
前記ノズルの長さが、１５〜８０ｍｍである請求項１又は２に記載のノズル付きキャップ。
【請求項４】
前記注出口の大きさが、直径換算で１〜１０ｍｍである請求項１〜３のいずれか１項に記載のノズル付きキャップ。
【発明の詳細な説明】
【技術分野】
【０００１】
本発明は、毛染め剤、整髪料、育毛剤、保護クリーム等の塗布液が収納された容器に装着され、毛根部や頭皮（皮膚）又は毛髪の根本部分に塗布液を塗布するために用いるノズル付きキャップに関する。
【背景技術】
【０００２】
従来の櫛付キャップは、毛染め剤、整髪料、育毛剤等の塗布液が収納された容器に装着し、頭髪を櫛で梳かしながら均一に塗布液を塗布するため、例えば、複数の複数の櫛歯部が整列状態で立設されており、各櫛歯部の先端付近には、吐出路を介して容器と連通する吐出孔が形成されている。この吐出孔は、吐出路に対して直交する方向に櫛歯部を貫通しており、塗布液（内容液）を各櫛歯部の間に吐出する櫛付キャップが開示されている（特許文献１参照）。
【０００３】
上記櫛付キャップは、容器の胴部を指でスクイズする（押圧して絞り出す）ことにより、各櫛歯片間に塗布液（内容液）を均等に注出させることができることから、頭髪に対して塗布液（内容液）を自然で良好に塗布することができるとともに、キャップ本体に櫛歯片が設けられていることから、頭髪に対して櫛機能を無理なく適正に発揮させることができるように構成されている。
【０００４】
しかしながら、上記櫛付きキャップは、広い範囲や長い毛髪に対しても塗布液（内容液）を効率良く行うことができるが、吐出孔が櫛歯部の側面を貫通するように形成されているので、櫛歯部の先端と吐出孔との間にはある程度の距離が存在する。したがって、櫛歯部の先端が上方を向いた状態で使用する場合、櫛歯部の先端に必要な量の塗布液（内容液）が供給されないので、毛髪の根本部分に十分な塗布することができず、塗り残しが生じるという問題があった。
【０００５】
特に、毛染め剤が毛根部や皮膚（頭皮）に塗布されることを防止する保護クリームの塗布に用いる場合、毛髪に保護クリームが必要以上に塗布されやすいため、毛染め作業に支障が生じてしまうという問題があった。
【０００６】
以上のことから、通常、上記保護クリームを頭皮に塗布する場合、保護クリームを一定量、所定の箇所に頭皮に塗布した後、更に櫛を用いて、頭皮全体に行き渡るように塗布する作業が行われているが、この作業に手慣れていても８分程度かかるため、非常に作業効率が悪く、事業として行う場合、採算性が非常に悪かった。
【特許文献１】特開平１０−１３７０２９号公報
【発明の開示】
【発明が解決しようとする課題】
【０００７】
本発明は、上述した従来技術の問題点に鑑みてなされたものであり、その目的とするところは、塗布液を毛髪に必要以上に塗布することなく、毛根部や頭皮（皮膚）に塗布液を確実且つ十分に、短時間で塗布することができるとともに、塗布液が毛染め剤である場合、毛髪の根本部分に十分に塗布することができ、染め残しや頭皮（皮膚）に刺激を与えたりすることを防止することができるノズル付きキャップを提供することにある。
【課題を解決するための手段】
【０００８】
上述の目的を達成するため、本発明は、以下のノズル付きキャップを提供するものである。
【０００９】
［１］  塗布液を収納する容器の開口部に装着されるキャップ部と、前記キャップ部に少なくとも２つ以上のノズルが立設且つ並設されたノズル部とを備え、前記ノズルが中空であり、その先端に注出口が形成され、前記ノズルと前記キャップ部とが、前記容器の開口部と連通し、前記塗布液を前記注出口から注出させるノズル付きキャップ。
【００１０】
［２］  各ノズル間における前記注出口の中心同士の間隔が、３〜２０ｍｍである［１］に記載のノズル付きキャップ。
【００１１】
［３］  ノズルの長さが、１５〜８０ｍｍである［１］又は［２］に記載のノズル付きキャップ。
【００１２】
［４］  注出口の大きさが、直径換算で１〜１０ｍｍである［１］〜［３］のいずれかに記載のノズル付きキャップ。
【発明の効果】
【００１３】
本発明のノズル付きキャップは、塗布液を毛髪に必要以上に塗布することなく、毛根部や頭皮（皮膚）に塗布液を確実且つ十分に、短時間で塗布することができるとともに、塗布液が毛染め剤である場合、毛髪の根本部分に十分に塗布することができ、染め残しや頭皮（皮膚）に刺激を与えたりすることを防止することができる。
【発明を実施するための最良の形態】
【００１４】
以下、図面を参照して、本発明のノズル付きキャップについて詳細に説明するが、本発明は、これに限定されて解釈されるものではなく、本発明の範囲を逸脱しない限りにおいて、当業者の知識に基づいて、種々の変更、修正、改良を加え得るものである。
【００１５】
図１は本発明のノズル付きキャップの一例を示す正面断面図、図２は図１の側面図、図３は図１の上面図である。
【００１６】
本発明に係るノズル付きキャップは、例えば、図１〜３に示すように、塗布液を収納する容器の開口部に装着されるキャップ部１０と、キャップ部１０に少なくとも２つ以上のノズル２が立設且つ並設されたノズル部２０とを備え、ノズル２が中空１６であり、その先端に注出口４が形成され、ノズル２とキャップ部１０とが、容器の開口部と連通し、塗布液を注出口４から注出させるものである。
【００１７】
ここで、本発明のノズル付きキャップの主な特徴は、図１〜３に示すように、キャップ部１０に少なくとも２つ以上、より好ましくは、２〜５つ、更に好ましくは３つのノズル２が立設且つ並設されたノズル部２０を備えていることにある。ノズル部２０の各ノズル２を並設することにより、櫛のように毛髪への接触抵抗を軽減しながら、塗布液を頭皮に直接塗布することができる。また、ノズル２の数も必要最小限にすることにより、多様な頭部形状や頭部の各部位に容易に追随させながら塗布液を塗布することができる。尚、図１に示すように、ノズルの長さａは１５〜８０ｍｍにすることが好ましく、より好ましくは、３５〜７０ｍｍである。
【００１８】
また、本発明のノズル付きキャップの特徴としては、その使用方法にあり、通常、図４に示すように、まず、ノズル付きキャップ１を容器４０の開口部に装着する（図４ではネジ止めによる装着）。次に、容器４０の胴部を指でスクイズする（押圧して絞り出す）ことにより、各ノズル２の注出口４から塗布液を均等に注出させる(図１参照)。
【００１９】
しかしながら、そのままの状態でノズル部２０を上下させると、図６（ａ）に示すように塗布液５０が頭皮（皮膚）に塗布されるが、各ノズル２間には塗布液が塗布されず、その未塗布部分５４が広すぎるため、櫛を用いて塗布しなければならなかった。
【００２０】
そこで、本発明のノズル付きキャップは、ノズル部２０を左右にスイングさせながら上又は下に移動させることにより、図６（ｂ）に示すように、塗布液５０が頭皮（皮膚）に波状に重なるように塗布することができ、未塗布部分５４を最小限に抑制することができるため、櫛を用いることなく、容易に広範囲の頭皮（皮膚）に塗布液を塗布することを実現した。これにより、頭皮（皮膚）全体に塗布液を塗布する時間を従来の方法の１／４（２分程度）と大幅に短縮することができる。
【００２１】
このとき、図３に示すように、各ノズル間における注出口の中心同士の間隔ｂは、３〜２０ｍｍ（より好ましくは、５〜１５ｍｍ）であることが重要である。これは、３ｍｍ未満であると、毛髪への接触抵抗が増すとともに、単位面積当たりの塗布液量が多くなり、作業効率が低下するからである。一方、２０ｍｍを超過すると、ノズル部２０を左右にスイングさせながら上又は下に移動させても塗布液の塗り残しが発生してしまう。
【００２２】
更に、本発明のノズル付きキャップは、注出口の形状が、円又は楕円状であってもよく、また、図１に示すように、注出口の大きさｃが、直径換算で１〜１０ｍｍ（より好ましくは１〜８ｍｍ、更に好ましくは１〜５ｍｍ）であることが好ましい。これは、注出口の大きさが直径換算で１ｍｍ未満である場合、十分な塗布液量を供給することができないからである。一方、注出口の大きさが直径換算で１０ｍｍを超過する場合、必要以上に塗布液が頭皮に塗布されてしまうため、作業効率が低下するだけでなく、経済的でない。
【００２３】
尚、本発明のノズル付きキャップは、例えば、図５（ａ）（ｂ）に示す着脱自在のシールキャップ３０（図３参照）で各ノズル２（ノズル部２０）の注出口を施蓋することにより、保管時に不用意に塗布液が漏れ出すことなく、且つ衛生的である（図１参照）。尚、シールキャップ３０は、図５（ａ）（ｂ）に示すように、各ノズル２の先端部を覆うカバー体３１と、各ノズル２の注出口４に挿嵌する栓突部３２が形成されている（図１参照）。
【００２４】
以上のことから、本発明のノズル付きキャップは、塗布液を毛髪に必要以上に塗布することなく、毛根部や頭皮（皮膚）に塗布液を確実且つ十分に、短時間で塗布することができるとともに、塗布液が毛染め剤である場合、毛髪の根本部分に十分に塗布することができ、染め残しや頭皮（皮膚）に刺激を与えたりすることを防止することができる。
【００２５】
特に、本発明のノズル付キャップは、毛染めをする前に毛根部や頭皮（皮膚）に塗布する塗布液として保護クリーム用いる場合、保護クリームを毛髪に必要以上に塗布することなく、毛根部や皮膚に塗布液を確実且つ十分に、短時間で塗布することができる。
【００２６】
尚、上記保護クリームは、毛髪に塗布されても、毛染め剤に影響を与えることなく、毛髪を染め上げることができるとともに、毛根部や頭皮（皮膚）に塗布することにより、毛染め剤による刺激や肌へのトラブルから保護する効果を有するものである。
【産業上の利用可能性】
【００２７】
本発明のノズル付きキャップは、毛染め剤、整髪料、育毛剤、保護クリーム等の塗布液が収納された容器に装着され、毛根部や頭皮（皮膚）又は毛髪の根本部分に塗布液を短時間で塗布する際に好適に用いることができる。
【図面の簡単な説明】
【００２８】
【図１】本発明のノズル付きキャップの一例を示す正面断面図である。
【図２】図１の側面図である。
【図３】図１の上面部である。
【図４】本発明のノズル付きキャップの実施態様の一例を示す説明図である。
【図５】本発明のノズル付きキャップに施蓋するシールキャップの一例であり、（ａ）は上面図、（ｂ）は正面断面図である。
【図６】本発明のノズル付きキャップ（図４参照）から塗布された塗布液の軌跡を示すものであり、（ａ）は直線方向、（ｂ）は左右にスイングさせながら直線方向に塗布した場合である。
【符号の説明】
【００２９】
１…ノズル付きキャップ、２…ノズル、４…注出口、１０…キャップ部、１１…ネジ溝、１６…中空、２０…ノズル部、３０…シールキャップ、３１…カバー体、３２…栓突部、４０…容器、５０…塗布液、５４…未塗布部分。
【図１】
2006051230.tif 000003
【図２】
2006051230.tif 000004
【図３】
2006051230.tif 000005
【図４】
2006051230.tif 000006
【図５】
2006051230.tif 000007
【図６】
2006051230.tif 000008